(57)【特許請求の範囲】
【請求項１】
テントの天頂部側の膜体に結合されて設けられている換気窓と、
前記膜体に結合されていて前記換気窓を外側から目隠しする覆い蓋と、
前記覆い蓋の下辺部の一部分を前記テントの展張用フレ−ムに結合させるための結合手段とを具え、
前記覆い蓋は、前記下辺部を除く残りの周辺部が、テント内部の明かりをテント外部へ直接的に漏らさぬように、前記換気窓の下辺部を除く周辺部において、前記膜体に結合され、かつ前記覆い蓋の下辺部が、前記結合手段を用いて前記展張用フレ−ムに接続されることにより、複数の前記展張用フレーム間に展張されていて、
前記換気窓の下辺部と前記覆い蓋の下辺部とで、換気する空気の流出及び流入口を画成している
ことを特徴とするテントの換気窓構造。
【請求項２】
請求項１に記載の換気窓構造において、前記膜体及び前記覆い蓋は、遮光性生地で形成されていることを特徴とするテントの換気窓構造。
【請求項３】
請求項１または２に記載の換気窓構造において、
前記覆い蓋は、前記換気窓に対し非接触状態で設けられていることを特徴とするテントの換気窓構造。
【請求項４】
請求項１〜３のいずれか一項に記載の換気窓構造において、
前記覆い蓋は、非開閉式の蓋であることを特徴とするテントの換気窓構造。
【請求項５】
請求項１〜４のいずれか一項に記載の換気窓構造において、前記膜体のテント内側に、前記換気窓に対向して、開閉自在なフラップを具えていることを特徴とするテントの換気窓構造。
【請求項６】
請求項１〜５のいずれか一項に記載の換気窓構造を具えたテント。
【請求項７】
膜体と、
前記膜体の天頂部に、互いに交差して、設けられているスリ−ブと、
互いに連結およびその解除が自在の複数のポールからなり、当該複数のポ−ルのうち、中央のポ−ルは、前記スリ−ブに挿入された状態で、前記スリ−ブにそれぞれ固定されている、前記膜体の展張用の第一及び第二フレームと、
前記第一及び第二フレームのそれぞれの両端から突出するように、前記複数のポールに貫通させて取り付けられている第一及び第二ショックコードと、
前記テントの天頂部側の膜体に結合されて設けられている換気窓と、
前記膜体に結合されていて前記換気窓を外側から目隠しする覆い蓋と、
該覆い蓋の下辺部の一部分を前記テントの展張用フレ−ムに結合させるための結合手段とを具え、
前記覆い蓋は、前記下辺部を除く残りの周辺部が、テント内部の明かりをテント外部へ直接的に漏らさぬように、前記換気窓の下辺部を除く周辺部において、前記膜体に結合され、かつ前記覆い蓋の下辺部が、前記結合手段を用いて前記展張用フレ−ムに接続されることにより、複数の前記展張用フレーム間に展張されていて、
前記換気窓の下辺部と前記覆い蓋の下辺部とで、換気する空気の流出及び流入口を画成している
ことを特徴とするテント。
【発明の詳細な説明】
【０００１】
【発明の属する技術分野】
この発明は、監視用テント、特にテント外部への光漏れを出来るだけ抑えたテント用の換気窓構造、及びこの換気窓構造を具えたテントに関する。
【０００２】
【従来の技術】
従来、出入口や、いわゆるテント窓や換気窓（換気口とも称する。）を具えテントが知られている。これらテントには、出入口、テント窓及び換気窓に対して開閉自在のフラップを、テント内側に設けてある。これらフラップの開閉により、これら出入口、テント窓及び換気窓を、それぞれ換気の目的や外部を覗く目的で、自在に使用出来る構成となっている。
【０００３】
これらのテントのうち、監視用に使用されるテントがある。このような監視用テントの場合には、その膜体は、通常、遮光性生地を用いて形成されている。さらに、テント使用時には、その監視目的に応じて、テント内部の光がテント外へ漏れないように極度に注意する場合がある。例えば、侵入者の監視の場合や、ハイジャックなどの状況監視の場合には、昼夜を問わず、相手に悟られずに監視を行う必要があるので、光の漏れに対しては最大限の注意を払うことが求められる。
【０００４】
【発明が解決しようとする課題】
しかしながら、従来のテントにおいて、炊事や暖房をとる場合には、適時、換気を行う必要がある。特に夜間その他等の、周囲が暗くなっている環境にある場合、出入口やテント窓のフラップを完全に閉成してそこからの光の漏れを防ぐことが出来ても、換気窓用のフラップの開閉を行うと、光が換気窓からテント外部へと直接漏れてしまう。従って、この漏れ光が、遠方から、テントの明かりであると十分認識されてしまう。
【０００５】
この発明の目的は、監視用テントの存在がテント外部の遠方から認識されないように、光の漏れを抑制した換気窓構造、及びこの換気窓構造を具えたテントを提供することにある。
【０００６】
【課題を解決するための手段】
この発明によるテントの換気窓構造によれば、テントの天頂部側の膜体に結合されて設けられている換気窓と、膜体に結合されていて換気窓を外側から目隠しする覆い蓋と、覆い蓋の下辺部の一部分をテントの展張用フレ−ムに結合させるための結合手段とを具えている。覆い蓋は、下辺部を除く残りの周辺部がテント内部の明かりを漏らさぬように、好ましくは縫着により、膜体に結合され、かつ下辺部が結合手段を用いて展張用フレ−ムに接続されることにより、複数の展張用フレーム間に展張されていて、換気窓の下辺部と覆い蓋の下辺部とで、換気する空気の流出及び流入口を画成している。
【０００７】
このような換気窓の構成によれば、この換気窓をテントの外側から全体的に覆うとともに、その換気窓の側辺部及び上辺部のそれぞれに対応する周辺部を閉じていて、かつこの換気窓の下端側に空気の流入及び流出口を形成している。
【０００８】
従って、換気窓のフラップを開けたとき、換気は換気窓とこの窓の下側の空気の出入口を介して、行える。これと共に、テント内部の明かりは、換気窓を通り覆い蓋で反射されて空気の出入口方向へと反射されるので、テントの漏れ光は、テント下部へ漏れるが、直接遠方へと漏れることはない。また、この換気窓からの漏れ光は、テント下方部へと向かい、テント下方部で反射された光がさらに遠方へと反射される光量は、著しく少量である。このため、遠方からはこの漏れ光がテントの明かりであるか或いはテント以外の他の光であるかの見分けがつかず、従ってテントの存在が遠方から認識される恐れがない。
【０００９】
この発明の好適な実施例においては、テントの膜体及び覆い蓋は、遮光性生地で形成するのがよい。テントを使用する環境次第では、この覆い蓋を含めテント全体を遮光性生地で形成しておかなくても良い。しかし、テントを全体的に遮光性生地で形成しておけば、テント生地を透した、テント内部の明かりの外部への漏れを防げるので、使用環境によらずに、例えば夜間その他の暗い環境下で当該テントを監視目的で使用出来る。
【００１０】
さらに、好ましくは、覆い蓋を、換気窓に対し非接触状態で設けておくのが良い。このように非接触状態とすることにより、換気効率をより高めることが可能となる。
【００１１】
さらに、覆い蓋を、非開閉式の蓋とするのが好適である。この覆い蓋を開閉式とすることも可能であり、その場合には、このテントは、設営環境に広く適用出来るが、テント外へ出て覆い蓋の開閉を行うという煩わしさが残ると共に、人がテントの出入りを行うと、その出入りに伴う光漏れが生ずる恐れがある。
【００１２】
しかし、この覆い蓋を非開閉式で設けておくと、換気窓は、常時、目隠しされている状態にあるので、これを開閉するための人の出入りが生じない。従って、光の漏れをより確実に防止することが出来る。
【００１３】
さらに、好ましくは、テントの膜体のテント内側に、換気窓に対向して、開閉自在なフラップを設けておくのがよい。このフラップは、換気が不要なときに、閉じておけばよいので、より確実に光漏れ防止を図ることが出来る。このフラップを開けたときには、覆い蓋により、外部への直接的な漏れ光を防止することが出来る。
【００１４】
また、覆い蓋の下辺部の一部分をテントの展張用フレ−ムに結合させるための結合手段を設けてあるので、覆い蓋をたるみなく、しかも、換気窓と離間させて張ることが出来る。従って、覆い蓋が換気の邪魔とならず、効率よく換気を行うことが出来る。
【００１５】
【発明の実施の形態】
以下、図を参照して、この発明の実施の形態について説明するが、構成および配置関係についてはこの発明が理解できる程度に概略的に示しているに過ぎない。また、以下、この発明の好適な構成例につき説明するが、この構成は、単なる好適例にすぎない。従って、この発明は以下の実施の形態に限定されず、特許請求の範囲の記載に基づく様々な形態に適用可能である。
【００１６】
尚、以下の実施の形態では、一例として、２本の交差フレ−ムを具える矩形型のテントを例に挙げて説明する。
【００１７】
図１および図２はこの発明の換気窓構造及びこれを具えたテントの全体的な構成例を説明するためのテントの概略的平面図及び概略的後面図である。
【００１８】
図１及び図２において、１０はテント全体を示す。このテント１０の構成例では、１２及び１４は、四隅の対角線上にある一方のテント下端と他方の下端との間に張られる交差フレ−ムである。この交差フレ−ム１２及び１４は、複数の連接用のポ−ルを具えていて、これらポ−ルは、各フレ−ム毎に、その内部を通るショックコ−ド（図示せず）で、互いにバラバラにならないように一体的につながっている。連接の時には、このショックコ−ドの引張力を利用して、順次にポ−ルをはめ込んでそれぞれのフレ−ムを作り上げている。図１に、一方のフレ−ム１４のポ−ル１４ａ，１４ｂ，１４ｃ，１４ｄ，１４ｅ、１４ｆ，１４ｇ，１４ｈ，１４ｉ、１４ｊ，１４ｋを例示してあるが、他方のフレ−ムのポ−ルも同様な構成となっている。
【００１９】
テント天頂部に交差スリ−ブ１６及び１８を設け、この交差スリーブ１６及び１８にそれぞれのフレ−ムの中央のポ−ルをそれぞれ通して固定してある。例えばフレ−ム１４の場合には、ポ−ル１４ｆをスリ−ブ１８に挿入固定して設けてある。これらフレ−ム１２及び１４には、複数個の適当な吊具（代表して２０で示してある。）を介して、テントの膜体３０が吊り下げられて展張されている。
【００２０】
また、テントの四隅をペグクイ２２で固定する。
【００２１】
さらに、図１において、３２は、テントの出入口であり、通常、出入口の膜体は、ファスナで開閉自在にテント本体の膜体に取り付けられている。
【００２２】
また、図１に外郭を破線で示した換気窓３４は、天頂部に近い側に設けられている。換気窓３４は、通常はメッシュ（網目）が張られていて、テント内部と外部との間で換気できる構造となっている。破線３６は、テント膜体３０の内側に設けられている、当該換気窓用の開閉自在のフラップである。
【００２３】
さらに、４０は、テントの膜体３０の外側から、この換気窓に対して設けられた覆い蓋である。この覆い蓋４０は、換気窓３４を全体的に覆うように設けられている。この覆い蓋４０は、丁度、この換気窓３４を目隠しした状態で設けられている。この覆い蓋４０は、下辺部を除く残りの周辺部を、換気窓３４の下辺部を除く残りの周辺部に一体的に結合されている。この覆い蓋４０の膜体３０への具体的な取り付け方法などについては後述する。
【００２４】
さらに、この覆い蓋４０の下辺部すなわち下端部は、その覆い蓋４０の下端の左右の隅の２カ所において、結合手段４２によって、それぞれのフレ−ムに結合されている。この結合手段４２は、この覆い蓋４０を緊張させて展張するために用いられている。このように覆い蓋４０を張ることによって、この覆い蓋４０と換気窓のメッシュとが接触しないようにすることが出来る。この結合手段４２は、覆い蓋４０に縫着などの適当な手段によって一端が取り付けられた紐状体或いは帯状体等の任意好適な結合具４２ａと、その他端に設けられてフレ−ムに係止するための係止具例えばフック４２ｂとで主として構成されている。勿論、好ましくは、これら帯状体或いは紐状体の結合具４２ａを伸縮自在の構成とするための任意好適な結合部、例えばバックル式等の結合部を、これらの帯状体或いは紐状体の中間に、設けても良い。
【００２５】
次に、図３，図４及び図５（Ａ），（Ｂ）及び（Ｃ）を参照して、この発明のテントに使用するテント窓構造につき、さらに具体的に説明する。
【００２６】
図３は、テントの換気窓構造の部分を取り出して、テントの外側から見た状態を示す概略的正面図である。図４は、テントの換気窓構造の部分を取り出して、テントの裏側から見た状態を示す概略的裏面図である。また、図５（Ａ），（Ｂ）及び（Ｃ）は、それぞれ、図３に示したＡ−Ａ線、Ｂ−Ｂ線およびＣ−Ｃ線に沿って取った部分的断面における説明図である。
【００２７】
このテント１０の場合には、２本の交差フレ−ムが交差する、テントの天頂部側の膜体（天幕）は、三角形状をしている。この三角形状の膜体の領域に外観形状がほぼ三角形の換気窓（換気口）３４が設けられているとする。そして、この換気窓３４の外側に覆い蓋４０が設けられている。
【００２８】
さらに、このテント１０の場合には、通常の通り、テント１０の膜体３０の一部分を切り取って上下に開閉出来るように形成した部分をフラップ３６として用いている。図４に示す構成例では、この切り取りは、形成されている換気窓３４の上端から両側の側辺に沿って、行われ、この切り取り箇所にいわゆるファスナ５０および５２をそれぞれ設けて、このファスナ５０および５２の開閉により、フラップ３６の開閉を行う構成となっている。当然のことながら、換気窓３４の下辺部に対応するフラップ３６の部分は、膜体３０とは切り離されておらず、膜体３０と連続した一体構造となっている。このフラップの形状は、ほぼ三角形状である。さらに、ファスナ５０，５２による開閉の他、換気窓３４の窓領域外の上端部に設けた、一方の面ファスナ５４ａと、これと面結合する、フラップの先端部に設けられた他方の面ファスナ５４ｂとにより、フラップを固定することも出来る。
【００２９】
ここに示す構成例によれば、図３に示すように、覆い蓋４０の外観形状は、ほぼ二等辺四角形の形状をしている。この覆い蓋４０の上辺部４０ａは、テントの下端と平行な直線となっており、覆い蓋４０の下辺部４０ｂは、上辺部よりも長く、しかもおおよそ上辺部４０ａと平行であるが、やや上辺部側にア−チ状に湾曲している。覆い蓋４０の両側辺部４０ｃ及び４０ｄは、上辺部の両端から下辺部の両端部へと、テントの稜線に沿って、直線的に、延在している。従って、この両側辺部４０ｃ及び４０ｄは、互いに末広状に、離間しながら広がっている。
【００３０】
この覆い蓋４０の上辺部４０ａは、換気窓３４の上端よりも上側に位置している。一方、覆い蓋４０の下辺部４０ｂは、換気窓３４の下端部と同じ位置レベルかそれよりも下側の位置にまで設けている。尚、換気窓３４の下端部は、外部への光の漏れに支障がない範囲内で、覆い蓋４０によって完全に覆われていなくても良い。
【００３１】
図５（Ａ）は、テント膜体３０と覆い蓋４０の配置関係を示している。この部分においては、この覆い蓋４０が膜体３０から離れていて、換気窓３４のメッシュと覆い蓋４０とが非接触状態にある様子を示している。この覆い蓋４０の上辺部は、その生地を別の生地４４に縫着させてテント膜体３０に結合させている。このテント膜体３０と覆い蓋４０との間に示した部材６０は、目止めテ−プである。この生地４４は、覆い蓋４０の上辺部からテントの天頂部までの三角形状の領域に設けられていて、その三角形の生地４４の二辺は、テントの両稜線に沿って縫着されている。
【００３２】
さらに、図５（Ｂ）は、テント膜体３０と、フラップ３６と、換気窓３４と、覆い蓋４０との間の、テントの稜線付近を含めた位置関係を示す図である。テント膜体３０とフラップ３６は、互いにファスナ５０で、開閉自在に結合されている。三角形状の換気窓３４の両側辺部を、これに続く補助布３４ａに、縫着により結合させて、その結合部を縁取部としている。既に説明したように、この換気窓３４の上側に、これと離間して覆い蓋４０が設けられている。そして、これらテント膜体３０，補助布３４ａ及び覆い蓋４０のそれぞれの一端部が、纏められて、隣接する膜体の一端部と一緒に縫着されている。この縫着により、テント側面を形成する膜体とテント後面を構成する膜体とが、互いに連結されている。
【００３３】
さらに、図５（Ｃ）は、テントの膜体３０と、フラップ３６と、換気窓３４と、覆い蓋４０及びその下辺部４０ｂとの位置関係を示す図である。フラップ３６の下辺部は、テント膜体３０と一体的に連続して形成されているが、その境界において、換気窓３４の下側周辺の縁布に、換気窓の下辺部と平行に、縫着されている。従って、既に説明したように、フラップ３６は上側部分が開閉自在に設けられている。尚、覆い蓋４０の下辺部４０ｂは破損防止のための縁取部が形成されている。
【００３４】
このように、覆い蓋４０は、テントの換気窓３４の頂点部と、２つの側辺部とを含む周辺部で、縫着により結合されている。そして、この窓３４と、覆い蓋４０とのそれぞれの下辺部の間に、換気用の空気の出入が出来る間隙すなわち空気の流入及び流出口７０を画成する構成となっている。また、換気窓３４と覆い蓋４０との間は、適当な間隔で、互いに離間して設けられている。
【００３５】
図６は、覆い蓋４０を展張するために用いる結合手段を説明するための、要部の概略的斜視図である。上述した通り、覆い蓋４０の下側の両端部には、帯状または紐状の結合具４２ａとその先端に設けられたフック４２ｂとを具えている。このフック４２ｂをテントフレ−ム１２，１４に引っかけることにより、覆い蓋４０の生地を弛むことなくピンと張ることが出来る。このように覆い蓋４０を緊張させて展張することによって、より確実に、覆い蓋と換気窓との接触を回避させることが出来るとともに、換気用の空気の流入及び流出口７０を確実に確保出来る。尚、この覆い蓋の緊張は、他の適当な手法で行っても良く、上述したフックを用いて行うことに何ら限定されない。
【００３６】
このテントの使用時においては、テントの出入口やテント窓などは対応するフラップを閉じておく。そして、上述したこの発明の換気窓３４の構造によれば、フラップ３６を開いて、換気を行う場合、テント内部と外部との間の換気は、換気窓３４を経て、通常のごとく行われる。この場合、窓３４の外側に覆い蓋４０があるため、換気のための空気の流通は、換気窓３４と覆い蓋４０との間に出来ている隙間を経てこれらの下部側に形成されている換気用の空気の流出入口７０を介して、効率よく行われる。
【００３７】
一方、この換気を行う際に、テント内部の明かりも、換気窓３４を経て外部へ漏れるが、覆い蓋４０があるため、これにより漏れ光が遮られる。従って、テントの換気窓からの外部への直接的な漏れ光は無いので、遠方よりテントの存在は認識されない。さらに、この漏れ光は、覆い蓋４０によって反射されて、テント下部に向かう。従って、テント下部に向かった光はテントの下部で再反射されてテントの外部へと漏れていく。しかし、この外部へ漏れていく光の量は著しく少量であるので、この漏れ光は、遠方からでは、テントからの漏れ光であるのかそれとも他の何らかの光であるかの判別はつかない。従って、このような少量の漏れ光により、遠方からこのテントの存在を知られる恐れはない。
【００３８】
テント設営の環境にもよるが、可能ならば、テント自体の膜体及び覆い蓋自体を遮光性生地で形成しておくのがよい。その場合には、テント生地や覆い蓋の生地を透しての明かりの漏れを防ぐことが出来るので、より確実に、テントからの漏れ光を防止することができる。
【００３９】
さらに、換気を必要としない場合には、換気窓のフラップを閉じておけば、換気窓からの漏れ光をより確実に防止することが出来る。
【００４０】
【発明の効果】
以上の説明で明らかなように、この発明の換気窓構造によれば、換気窓を用いて換気を行う際の漏れ光を、覆い蓋により確実に防ぐことが出来る。従って、この発明の換気窓構造を具えたテントは、監視用のテントとして使用して頗る好適である。
【図面の簡単な説明】
【図１】この発明による換気窓構造を具えたテントの一構成例を示す概略的平面図である。
【図２】この発明による換気窓構造を具えたテントの一構成例を示す概略的後面図である。
【図３】この発明の換気窓構造の説明に供する、要部の概略的正面図である。
【図４】この発明の換気窓構造の説明に供する、要部の概略的裏面図である。
【図５】（Ａ）、（Ｂ）及び（Ｃ）は、この発明の換気窓構造の説明に供する説明図である。
【図６】この発明の換気窓構造の説明に供する説明図である。
【符号の説明】
１０：テント
１２，１４：フレ−ム
１４ａ〜１４ｋ：ポ−ル
１６，１８：スリ−ブ
２０：吊具
２２：ペグクイ
３０：膜体（天幕）
３２：出入口
３４：換気窓
３６：フラップ
４０：覆い蓋
４０ａ：（覆い蓋の）上辺部
４０ｂ：（覆い蓋の）下辺部
４０ｃ，４０ｄ：（覆い蓋の）側辺部
４２：結合手段
４２ａ：結合具
４２ｂ：フック
５０，５２：ファスナ
５４ａ，５４ｂ：面ファスナ
６０：目止め
７０：流入及び流出口
【図１】
0003565820.tif 000002
【図２】
0003565820.tif 000003
【図３】
0003565820.tif 000004
【図４】
0003565820.tif 000005
【図５】
0003565820.tif 000006
【図６】
0003565820.tif 000007